(57)【要約】【課題】本発明では、遠隔操作装置にてＡＦ制御とＭＦ制御の切換えを行える切換え信号入力手段を設け、操作性を向上させることを目的とする。【解決手段】上記目的を達成するために、本発明では、フォーカスレンズを自動焦点検出・合焦制御にて制御する焦点検出・合焦制御手段を有する光学装置において、前記フォーカスレンズを自動焦点検出・合焦制御にて制御するのか、前記光学装置外に配置された遠隔指令制御手段からの遠隔指令制御にて制御するのかを切換える切換え信号入力手段を有する構成をとる。【選択図】      図１
2004341038.tif 000002
【特許請求の範囲】
【請求項１】
フォーカスレンズを自動焦点検出・合焦制御にて制御する焦点検出・合焦制御手段を有する光学装置において、
前記フォーカスレンズを自動焦点検出・合焦制御にて制御するのか、前記光学装置外に配置された遠隔指令制御手段からの遠隔指令制御にて制御するのかを切換える切換え信号入力手段を有することを特徴とする光学装置。
【発明の詳細な説明】
【０００１】
【発明の属する技術分野】
本発明は、自動焦点検出・合焦制御（以降ＡＦ制御と称す）を行うテレビカメラ、ビデオカメラ、テレビレンズ、ビデオレンズなどに用いられる光学装置に関するものである。
【０００２】
【従来の技術】
近年、民生用ビデオカメラ等の撮影装置においては、ＡＦ制御が必須となっているが、この種のＡＦ制御としては、撮像信号中から被写体の鮮鋭度に応じた信号を抽出して評価し、光学系の焦点検出動作を行う自動焦点検出方式が主流となっている。
【０００３】
このＡＦ制御方式の動作例について第３図を用いて説明する。
【０００４】
同図において、６００はカメラユニットに対して着脱不可能なレンズユニットを有しているカメラであり、１０２は後述するプロセス手段２０２から出力された映像信号から鮮鋭度評価値を抽出する評価値生成手段であり、１０３は評価値生成手段１０２で生成される鮮鋭度評価値が最大になるようにモータ制御信号を生成するＡＦ駆動制御手段である。１０５はＡＦ駆動制御手段１０３からの制御により動作するモータであり、１０６はモータ１０５の駆動によって光軸方向に移動するフォーカスレンズである。２０１はＣＣＤであり、２０２はＣＣＤの出力信号を加工し、ＮＴＳＣ信号などのフォーマットに整えるプロセス手段であり、２０３はプロセス手段２０２の出力である映像信号を記録媒体に記録し、また記録されている映像の再生を行う記録再生手段である。
【０００５】
以上の構成において、フォーカスレンズ１０６を通った光束はＣＣＤ２０１の撮像面上に結像し、そしてＣＣＤ２０１で光電変換された後、サンプルホールドされてプロセス手段２０２に入力される。プロセス手段２０２では入力信号をＮＴＳＣ信号などの映像フォーマットに加工し、評価値生成手段１０２および記録再生手段２０３に出力する。評価値生成手段１０２に出力された映像信号は評価値生成手段１０２にてフィルタ処理などにより映像の周波数成分に関係した鮮鋭度評価値を映像信号の垂直同期周期単位で生成し、鮮鋭度評価値をＡＦ駆動制御手段１０３に出力する。ＡＦ駆動制御手段１０３では、モータ１０５を駆動させながら、鮮鋭度評価値を垂直同期周期単位で順次比較しながら、鮮鋭度評価値が最大値となる位置にフォーカスレンズ１０６を移動させるようなモータ制御信号を生成し、モータ１０５を駆動させフォーカスレンズ１０６を合焦点に移動させる。記録再生手段２０３はプロセス手段２０２の出力を記録媒体に記録し、また記録されている映像の再生を行う。
【０００６】
このようなＡＦ動作の駆動例を述べる。先ず合焦点が現在のフォーカスレンズ１０６の位置に対して遠距離側にいるか、近距離側にいるかの判定即ち駆動方向判定を、フォーカスレンズ１０６を微少量移動させ、その状態における鮮鋭度評価値の変化により判定する。その後、駆動方向判定の結果に従い鮮鋭度評価値のピーク値を検出するためにフォーカスレンズ１０６をある速度で移動させる。これを山登り判定と称す。ピーク値を越えた後フォーカスレンズ１０６の移動方向を反転させ、微少量単位で移動させて鮮鋭度評価値が最大になるようにフォーカスレンズ１０６を導く。これを頂上判定と称す。頂上判定後、鮮鋭度評価値を読み取りながら頂上判定終了直後の値と比較し、値が変動した際にＡＦ動作を再起動する。
【０００７】
なお、このような交換レンズ構成をとるカメラシステムのビデオＡＦ動作は特許文献１に詳細に説明されている。
【０００８】
また、監視やブライダル撮影などに用いられる遠隔操作用途のテレビカメラ、ビデオカメラ、テレビレンズ、ビデオレンズなどの製品群（以降、遠隔システムと称す）がある。この遠隔システムには、ＡＦ制御は搭載されておらず、遠隔操作可能なリモートコントロールユニットに搭載されているスイッチやボリュームなどを操作者が操作し、ズーム、アイリス、フォーカスを遠隔制御する構成となっている。
【０００９】
そして、この遠隔システムにおいては、リモートコントロールユニットとカメラ間の電気インターフェイスが確立しており、ピン数は１２ピンで、ズーム、アイリス、フォーカスの各指令信号、各制御モード信号（速度制御と位置制御の切換え）、電源、グラウンドなどがアサインされており、既に空いているピンは存在しない。
【００１０】
この遠隔システムの動作例について図７を用いて説明する。
【００１１】
同図において、２０１〜２０３、１０５、１０６については前述したため、説明は省略する。
【００１２】
１００は交換レンズタイプのレンズユニットであり、２００はカメラユニットであり、４００は遠隔にてレンズユニット１００内の図示していないズームレンズ部、アイリス部、フォーカスレンズ１０６を制御するための指令信号および図示していないズームレンズ部、アイリス部、フォーカスレンズ１０６の制御を速度制御、位置制御のどちらで行うのかを切換えるための切換え信号をレンズユニット１００に供給するリモートコントロールユニット、５００はレンズユニット１００とリモートコントロールユニット４００を接続するリモコンケーブルである。
【００１３】
レンズユニット１００においては、１０７はリモートコントロールユニット４００からの指令信号、切換え信号をレンズユニット１００に入力するためのリモコン入力端子、１０９はリモートコントロールユニット４００からのマニュアルフォーカス指令信号（以降、ＭＦ指令信号と称す）からモータ１０５を駆動するモータ制御信号を生成するＭＦ駆動制御手段、１１４はＳ／Ｐ切換え信号入力手段４０２から出力されるＳ／Ｐ切換え信号により、フォーカスレンズ１０６の制御を速度制御、位置制御のどちらで行うのかを指示するＳ／Ｐ切換え指示信号をＭＦ駆動制御手段に出力するＳ／Ｐ切換え信号判定手段である。
【００１４】
リモートコントロールユニット４００においては、４０１はスイッチやボリュームなどにより構成されるＭＦ指令信号を生成するＭＦ指令信号生成手段、４０２はフォーカスレンズ１０６の制御を速度制御、位置制御のどちらで行うのかを切換えるＳ／Ｐ切換え信号入力手段、４０３はリモートコントロールユニット４００からのＭＦ指令信号、Ｓ／Ｐ切換え信号をレンズユニット１００に出力するリモコン出力端子である。
【００１５】
以上の構成において、ＭＦ指令信号生成手段４０１の操作に伴い、ＭＦ指令信号生成手段４０１からその操作に比例したＭＦ指令信号が出力され、リモコン出力端子４０３、リモコンケーブル５００、リモコン入力端子１０７を介してＭＦ駆動制御手段１０９に入力される。また、Ｓ／Ｐ切換え信号入力手段４０２にてフォーカスレンズ１０６の制御を速度制御、位置制御のどちらで行うのかを切換えるＳ／Ｐ切換え信号が出力され、リモコン出力端子４０３、リモコンケーブル５００、リモコン入力端子１０７を介してＳ／Ｐ切換え信号判定手段１１４に入力される。Ｓ／Ｐ切換え信号判定手段１１４では、フォーカスレンズ１０６の制御を速度制御、位置制御のどちらで行うのかを判定し、その判定結果をＳ／Ｐ切換え指示信号として、ＭＦ駆動制御手段１０９に出力する。ＭＦ駆動制御手段１０９では、Ｓ／Ｐ切換え指示信号が、フォーカスレンズ１０６の制御を速度制御で行う信号であった場合には、ＭＦ指令信号を速度制御指令信号として扱い、ＭＦ指令信号にて指示された速度にてモータ１０５を駆動するためのモータ制御信号を生成し、モータ１０５を駆動させフォーカスレンズ１０６を移動させる。一方、Ｓ／Ｐ切換え指示信号が、フォーカスレンズ１０６の制御を位置制御で行う信号であった場合には、ＭＦ指令信号を位置制御指令信号として扱い、ＭＦ指令信号にて指示された位置にモータ１０５を駆動するためのモータ制御信号を生成し、モータ１０５を駆動させフォーカスレンズ１０６を移動させる。
【００１６】
【特許文献１】
特開平９−０６５１８４号公報
【００１７】
【発明が解決しようとする課題】
しかしながら、上記従来例によると、遠隔システムにＡＦ制御を搭載した場合、レンズユニットをＡＦ制御対応のものに交換するだけでは、レンズユニットの遠隔操作を可能とするリモートコントロールユニット側に、フォーカスレンズをＡＦ制御、ＭＦ制御のどちらで駆動するのかを切換える切換え手段を配置できない。
【００１８】
また、遠隔システムにおいては、リモートコントロールユニットとレンズユニット間の電気インターフェイスに空いているピンが存在しないため、フォーカスレンズをＡＦ制御にて駆動するのか、リモートコントロールユニットからのＭＦ制御にて駆動するのかを切換え信号を電気インターフェイスにアサインできず、リモートコントロールユニット側にフォーカスレンズをＡＦ制御、ＭＦ制御のどちらで駆動するのかを切換える切換え手段を配置できない。
【００１９】
このような問題を鑑みて、本願の目的は、遠隔システムにＡＦ制御を搭載した場合、レンズユニットをＡＦ制御対応のものに交換するだけで、レンズユニットの遠隔操作を可能とするリモートコントロールユニット側に、フォーカスレンズをＡＦ制御、ＭＦ制御のどちらで駆動するのかを切換える切換え手段を配置することを可能とし、遠隔操作ユニットと光学装置間の電気インターフェイスに空いているピンが存在しない状態であっても、遠隔操作ユニットにフォーカスレンズをＡＦ制御、ＭＦ制御のどちらで駆動するのかを切換える切換え手段を配置することが可能となり、更にＡＦ制御時にＭＦ制御を行うことが可能となり、遠隔システムの運用をより有意義なものにすることである。
【００２０】
【課題を解決するための手段】
上記目的を達成するために、本発明では、フォーカスレンズを自動焦点検出・合焦制御にて制御する焦点検出・合焦制御手段を有する光学装置において、
前記フォーカスレンズを自動焦点検出・合焦制御にて制御するのか、前記光学装置外に配置された遠隔指令制御手段からの遠隔指令制御にて制御するのかを切換える切換え信号入力手段を有する構成をとる。
【００２１】
遠隔システムにＡＦ制御を搭載した場合、遠隔操作装置と光学装置間の電気インターフェイスに空いているピンが存在しない状態であっても、レンズユニットにフォーカスレンズをＡＦ制御にて駆動するのか、ＭＦ制御にて駆動するのかを切換える切換え手段を配置することが可能となり、遠隔システムの運用をより有意義なものにすることができる。
【００２２】
【発明の実施の形態】
（第１の実施例）
以下に図面により本発明の第１の実施例の説明を行う。
【００２３】
本発明の第１の実施例を実施した撮影装置の構成を図１に示す。
【００２４】
同図において、１００は交換レンズタイプのレンズユニットであり、２００はカメラユニットであり、３００は映像用同軸ケーブルであり、４００は遠隔にてレンズユニット１００内の図示していないズームレンズ部、アイリス部、そしてフォーカスレンズ１０６を制御するための指令信号および図示していないズームレンズ部、アイリス部、フォーカスレンズ１０６の制御を速度制御、位置制御のどちらで行うのかを切換えるための切換え信号をレンズユニット１００に供給するリモートコントロールユニット、５００はリモートコントロールユニット４００とレンズユニット１００を接続するリモコンケーブルである。
【００２５】
レンズユニット１００において、１０１は映像用同軸ケーブル３００を介して映像信号を入力する映像入力端子、１０２は映像入力端子１０１から入力された映像信号から鮮鋭度評価値を抽出する評価値生成手段、１０３は評価値生成手段１０２で生成される鮮鋭度評価値が最大になるようにモータ制御信号を生成するＡＦ駆動制御手段である。１０４は後述する切換え信号判定手段１０８に制御され、後述するモータ１０５を駆動するモータ制御信号をＡＦ駆動制御手段１０３からのモータ制御信号で駆動するのか、後述するＭＦ駆動制御手段１０９からのモータ制御信号で駆動するのかを切換えるＡＦ／ＭＦ切換え手段、１０５はＡＦ駆動制御手段１０３もしくは後述するＭＦ駆動制御手段１０９からのモータ制御信号により動作するモータ、１０６はモータ１０５の駆動によって光軸方向に移動するフォーカスレンズである。１０７はリモートコントロールユニット４００からのＭＦ指令信号、Ｓ／Ｐ切換え信号をレンズユニット１００に入力するためのリモコン入力端子、１０８は後述する強制ＡＦ制御設定手段１１０からの信号がＡＦ制御であるのか、ＭＦ制御であるのか、またＭＦ制御である場合フォーカスレンズ１０６の制御を速度制御、位置制御のどちらで行うのかを判定し、後述するＭＦ駆動制御手段１０９にはフォーカスレンズ１０６の制御を速度制御、位置制御のどちらで行うのかを指示するＳ／Ｐ切換え指示信号を出力し、更にフォーカスレンズ１０６をＡＦ制御、ＭＦ制御のどちらで制御を行うのかによって、ＡＦ／ＭＦ切換え手段１０４を切換える切換え信号判定手段、１０９は切換え信号判定手段１０８からのＳ／Ｐ切換え指示信号によりフォーカスレンズ１０６の制御を速度制御、位置制御のどちらかで、ＭＦ指令信号からモータ１０５を駆動するモータ制御信号を生成するＭＦ駆動制御手段、１１０はフォーカスレンズ１０６の制御をＡＦ制御、ＭＦ制御のどちらで行うかを設定するＡＦ／ＭＦ制御設定手段、１１１はＡＦ／ＭＦ制御設定手段１１０の設定状態を表示するＡＦ／ＭＦ制御設定状態表示手段である。
【００２６】
カメラ２００において、２０１はＣＣＤ、２０２はＣＣＤの出力信号を加工し、ＮＴＳＣ信号などのフォーマットに整えるプロセス手段、２０３はプロセス手段２０２の出力である映像信号を記録媒体に記録し、また記録されている映像の再生を行う記録再生手段である。２０４はプロセス手段２０２及び記録再生手段２０３の映像信号出力の一方を選択して出力するところの出力切換え手段、２０５は出力切換え手段２０４の出力である映像信号を出力する映像出力端子である。
【００２７】
リモートコントロールユニット４００においては、４０１はスイッチやボリュームなどにより構成されＭＦ指令信号を生成するＭＦ指令信号生成手段、４０２はフォーカスレンズ１０６がＭＦ制御の時に速度制御、位置制御のどちらで行うのかを切換えるＳ／Ｐ切換え信号入力手段、４０３はリモートコントロールユニット４００からＭＦ指令信号、Ｓ／Ｐ切換え信号をレンズユニット１００に出力するリモコン出力端子である。
【００２８】
以上の構成において、初めにＡＦ／ＭＦ制御設定手段１１０の設定がフォーカスレンズ１０６の制御をＡＦ制御で行う設定である場合の動作について説明する。
【００２９】
フォーカスレンズ１０６を通った光束はＣＣＤ２０１の撮像面上に結像し、そしてＣＣＤ２０１で光電変換された後、サンプルホールドされてプロセス手段２０２に入力される。プロセス手段２０２では入力信号をＮＴＳＣ信号などの映像フォーマットに加工し、出力切換え手段２０４および記録再生手段２０３に出力する。録画状態時には、出力切換え手段２０４ではプロセス手段２０２の出力を映像出力端子２０５に出力し、そして記録再生手段２０３はプロセス手段２０２の出力を記録媒体に記録する。また、再生状態時であれば、記録再生手段２０３は記録媒体に記録されている映像信号を再生し、映像信号が安定して再生されたときに出力切換え手段２０４は記録再生手段２０３の映像信号を映像出力端子２０５に出力する。
【００３０】
レンズ１００の映像入力端１０１には映像用同軸ケーブル３００を介してカメラ２００の映像出力端子２０５からの映像信号が入力される。映像入力端子１０１に入力された映像信号は評価値生成手段１０２にてフィルタ処理などにより映像の周波数成分に関係した鮮鋭度評価値を映像信号の垂直同期周期単位で生成し、鮮鋭度評価値をＡＦ駆動制御手段１０３に出力する。
【００３１】
一方、ＡＦ／ＭＦ制御設定手段１１０はフォーカスレンズ１０６の制御をＡＦ制御で行う設定になっているため、Ｖｒｅｆ３が切換え信号判定手段１０８に入力され、ＡＦ／ＭＦ制御設定状態表示手段１１１はＡＦ制御を表示する。切換え信号判定手段１０８ではＡＦ／ＭＦ制御設定手段１１０からの信号がＶｒｅｆ３であるため、フォーカスレンズ１０６の制御をＡＦ制御とするようにＡＦ／ＭＦ切換え手段１０４をＡ側に切換える。これにより、ＡＦ駆動制御手段１０３からのモータ制御信号によりモータ１０５が駆動され、フォーカスレンズ１０６を移動させる。
【００３２】
次に、ＡＦ／ＭＦ制御設定手段１１０によりフォーカスレンズ１０６の制御をＭＦ制御で行う設定になっている場合の動作について説明する。
【００３３】
リモートコントロールユニット４００のスイッチやボリュームなどにより構成されるＭＦ指令信号生成手段４０１の操作に伴い、ＭＦ指令信号生成手段４０１からその操作に比例したＭＦ指令信号が出力され、リモコン出力端子４０３、リモコンケーブル５００、リモコン入力端子１０７を介して、ＭＦ駆動制御手段１０９に入力される。
【００３４】
一方、Ｓ／Ｐ切換え信号入力手段４０２にてフォーカスレンズ１０６の制御を速度制御、位置制御のどちらで行うのかを切換えるＳ／Ｐ切換え信号が、リモコン出力端子４０３、リモコンケーブル５００、リモコン入力端子１０７を介して切換え信号判定手段１０８に入力される。また、ＡＦ／ＭＦ制御設定手段１１０はフォーカスレンズ１０６の制御をＭＦ制御で行う設定になっているため、Ｖｒｅｆ３は切換え信号判定手段１０８に入力されず、ＡＦ／ＭＦ制御設定状態表示手段１１１はＭＦ制御を表示する。切換え信号判定手段１０８ではＡＦ／ＭＦ制御設定手段１１０からＶｒｅｆ３が入力されないため、フォーカスレンズ１０６の制御をＭＦ制御とするようにＡＦ／ＭＦ切換え手段１０４をＢ側に切換え、入力されたＳ／Ｐ切換え信号がＶｒｅｆ１であった場合には、フォーカスレンズ１０６の制御を速度制御で行うと判定し、ＭＦ駆動制御手段１０９にフォーカスレンズ１０６の制御を速度制御とするＳ／Ｐ切換え指示信号を出力し、また、入力されたＳ／Ｐ切換え信号がＶｒｅｆ２であった場合には、フォーカスレンズ１０６の制御を位置制御で行うと判定し、ＭＦ駆動制御手段１０９にフォーカスレンズ１０６の制御を位置制御とするＳ／Ｐ切換え指示信号を出力する。ＭＦ駆動制御手段では、Ｓ／Ｐ切換え指示信号が、フォーカスレンズ１０６の制御を速度制御で行う信号であった場合には、ＭＦ指令信号を速度制御指令信号として扱い、ＭＦ指令信号にて指示された速度にてモータ１０５を駆動するためのモータ制御信号を生成し、モータ１０５を駆動させ、フォーカスレンズ１０６を移動させる。一方、Ｓ／Ｐ切換え指示信号が、フォーカスレンズ１０６の制御を位置制御で行う信号であった場合には、ＭＦ指令信号を位置制御指令信号として扱い、ＭＦ指令信号にて指示された位置にモータ１０５を駆動するためのモータ制御信号を生成し、モータ１０５を駆動させ、フォーカスレンズ１０６を移動させる。
【００３５】
本提案では、カメラユニットに着脱可能な交換式レンズを用いて説明を行ったが、カメラユニットに対して着脱不可能なレンズユニットを備えた一体型カメラユニットに適用しても良い。
【００３６】
このような構成をとることにより、遠隔システムにＡＦ制御を搭載した場合、遠隔操作ユニットと光学装置間の電気インターフェイスに空いているピンが存在しない状態であっても、レンズユニットにフォーカスレンズをＡＦ制御にて駆動するのか、ＭＦ制御にて駆動するのかを切換える切換え手段を配置することが可能となり、遠隔システムの運用をより有意義なものにすることができる。
【００３７】
（第２の実施例）
第１の実施例では、ＡＦ／ＭＦ制御設定手段の設定によりフォーカスレンズの制御をＡＦ制御、ＭＦ制御のどちらで行うのかを切換えたが、ＡＦ／ＭＦ制御設定手段の設定がフォーカスレンズの制御をＡＦ制御にて行う設定であっても、ＭＦ指令信号生成手段が操作された場合にはフォーカスレンズの制御をＭＦ制御に切換える指令／切換え信号判定手段を設けた構成とする光学装置を第２の実施例として以下に説明する。
【００３８】
以下に図面により本発明の第２の実施例の説明を行う。
【００３９】
本発明の第２の実施例を実施した光学装置の構成を図２に示す。
【００４０】
同図において、１００〜１０７、１０９、１１０、２００〜２０５、３００、４００〜４０３、５００については前述したため、説明は省略する。
【００４１】
１１２はＡＦ／ＭＦ制御設定手段１１０からの信号がＡＦ制御であるのか、ＭＦ制御であるのか、ＡＦ制御である場合ＭＦ指令信号生成手段４０１が操作されたか否か、またＭＦ制御である場合フォーカスレンズ１０６の制御を速度制御、位置制御のどちらで行うのかを判定し、後述するＭＦ駆動制御手段１０９にはフォーカスレンズ１０６の制御を速度制御、位置制御のどちらで行うのかを指示するＳ／Ｐ切換え指示信号を出力し、更にフォーカスレンズ１０６をＡＦ制御、ＭＦ制御のどちらで制御を行うのかによって、ＡＦ／ＭＦ切換え手段１０４を切換える指令／切換え信号判定手段、１１３はフォーカスレンズの制御がＡＦ制御、ＭＦ制御のどちらで行われているのかを表示するＡＦ／ＭＦ制御状態表示手段である。
【００４２】
以上の構成において、初めにＡＦ／ＭＦ制御設定手段１１０の設定がフォーカスレンズ１０６の制御をＡＦ制御で行う設定で、かつＭＦ指令信号生成手段４０１が操作されていない場合の動作について説明する。
【００４３】
フォーカスレンズ１０６を通った光束はＣＣＤ２０１の撮像面上に結像し、そしてＣＣＤ２０１で光電変換された後、サンプルホールドされてプロセス手段２０２に入力される。プロセス手段２０２では入力信号をＮＴＳＣ信号などの映像フォーマットに加工し、出力切換え手段２０４および記録再生手段２０３に出力する。録画状態時には、出力切換え手段２０４ではプロセス手段２０２の出力を映像出力端子２０５に出力し、そして記録再生手段２０３はプロセス手段２０２の出力を記録媒体に記録する。また、再生状態時であれば、記録再生手段２０３は記録媒体に記録されている映像信号を再生し、映像信号が安定して再生されたときに出力切換え手段２０４は記録再生手段２０３の映像信号を映像出力端子２０５に出力する。
【００４４】
レンズ１００の映像入力端１０１には映像用同軸ケーブル３００を介してカメラ２００の映像出力端子２０５からの映像信号が入力される。映像入力端子１０１に入力された映像信号は評価値生成手段１０２にてフィルタ処理などにより映像の周波数成分に関係した鮮鋭度評価値を映像信号の垂直同期周期単位で生成し、鮮鋭度評価値をＡＦ駆動制御手段１０３に出力する。
【００４５】
一方、ＡＦ／ＭＦ制御設定手段１１０はフォーカスレンズ１０６の制御をＡＦ制御で行う設定になっているため、Ｖｒｅｆ３が指令／切換え信号判定手段１１２に入力される。指令／切換え信号判定手段１１２ではＡＦ／ＭＦ制御設定手段１１０からの信号がＶｒｅｆ３であるため、フォーカスレンズ１０６の制御をＡＦ制御とするようにＡＦ／ＭＦ切換え手段１０４をＡ側に切換え、ＡＦ／ＭＦ制御状態表示手段１１３にＡＦ制御を表示する。これにより、ＡＦ駆動制御手段１０３からのモータ制御信号によりモータ１０５が駆動され、フォーカスレンズ１０６を移動させる。
【００４６】
また、上記の状態で、ＭＦ指令信号生成手段４０１が操作された場合の動作について説明する。
【００４７】
フォーカスレンズ１０６の制御をＡＦ制御にて行っている場合に、ＭＦ指令信号生成手段４０１が操作された際には、ＭＦ指令信号生成手段４０１からのＭＦ指令信号が変化したと指令／切換え信号判定手段１１２が判定し、ＡＦ／ＭＦ切換え手段１０４をＢ側に切換え、ＡＦ／ＭＦ制御状態表示手段１１３にＭＦ制御を表示する。同時に指令／切換え信号判定手段１１２では、Ｓ／Ｐ切換え信号入力手段４０２からリモコン出力端子４０３、リモコンケーブル５００、リモコン入力端子１０７を介して入力されるＳ／Ｐ切換え信号がＶｒｅｆ１であった場合には、フォーカスレンズ１０６の制御を速度制御で行い、Ｓ／Ｐ切換え信号がＶｒｅｆ２であった場合には、フォーカスレンズ１０６の制御を位置制御で行うＳ／Ｐ切換え指示信号をＭＦ駆動制御手段１０９に出力する。ＭＦ駆動制御手段１０９では、Ｓ／Ｐ切換え指示信号がフォーカスレンズ１０６の制御を速度制御で行う信号であった場合には、ＭＦ指令信号を速度制御指令信号として扱い、ＭＦ指令信号にて指示された速度にてモータ１０５を駆動するためのモータ制御信号を生成し、モータ１０５を駆動させ、フォーカスレンズ１０６を移動させる。一方、Ｓ／Ｐ切換え指示信号がフォーカスレンズ１０６の制御を位置制御で行う信号であった場合には、ＭＦ指令信号を位置制御指令信号として扱い、ＭＦ指令信号にて指示された位置にモータ１０５を駆動するためのモータ制御信号を生成し、モータ１０５を駆動させ、フォーカスレンズ１０６を移動させる。
【００４８】
最後に、ＡＦ／ＭＦ制御設定手段１１０によりフォーカスレンズ１０６の制御をＭＦ制御で行う設定になっている場合の動作について説明する。
【００４９】
リモートコントロールユニット４００のスイッチやボリュームなどにより構成されるＭＦ指令信号生成手段４０１の操作に伴い、ＭＦ指令信号生成手段４０１からその操作に比例したＭＦ指令信号が出力され、リモコン出力端子４０３、リモコンケーブル５００、リモコン入力端子１０７を介して、ＭＦ駆動制御手段１０９に入力される。
【００５０】
一方、Ｓ／Ｐ切換え信号入力手段４０２にてフォーカスレンズ１０６の制御を速度制御、位置制御のどちらで行うのかを切換えるＳ／Ｐ切換え信号が、リモコン出力端子４０３、リモコンケーブル５００、リモコン入力端子１０７を介して指令／切換え信号判定手段１１２に入力される。また、ＡＦ／ＭＦ制御設定手段１１０はフォーカスレンズ１０６の制御をＭＦ制御で行う設定になっているため、Ｖｒｅｆ３は切換え信号判定手段１０８に入力されない。切換え信号判定手段１０８ではＡＦ／ＭＦ制御設定手段１１０からＶｒｅｆ３が入力されないため、フォーカスレンズ１０６の制御をＭＦ制御とするようにＡＦ／ＭＦ切換え手段１０４をＢ側に切換え、ＡＦ／ＭＦ制御状態表示手段１１３はＭＦ制御を表示し、入力されたＳ／Ｐ切換え信号がＶｒｅｆ１であった場合には、フォーカスレンズ１０６の制御を速度制御で行うと判定し、ＭＦ駆動制御手段１０９にフォーカスレンズ１０６の制御を速度制御とするＳ／Ｐ切換え指示信号を出力し、また、入力されたＳ／Ｐ切換え信号がＶｒｅｆ２であった場合には、フォーカスレンズ１０６の制御を位置制御で行うと判定し、ＭＦ駆動制御手段１０９にフォーカスレンズ１０６の制御を位置制御とするＳ／Ｐ切換え指示信号を出力する。ＭＦ駆動制御手段では、Ｓ／Ｐ切換え指示信号が、フォーカスレンズ１０６の制御を速度制御で行う信号であった場合には、ＭＦ指令信号を速度制御指令信号として扱い、ＭＦ指令信号にて指示された速度にてモータ１０５を駆動するためのモータ制御信号を生成し、モータ１０５を駆動させ、フォーカスレンズ１０６を移動させる。一方、Ｓ／Ｐ切換え指示信号が、フォーカスレンズ１０６の制御を位置制御で行う信号であった場合には、ＭＦ指令信号を位置制御指令信号として扱い、ＭＦ指令信号にて指示された位置にモータ１０５を駆動するためのモータ制御信号を生成し、モータ１０５を駆動させ、フォーカスレンズ１０６を移動させる。
【００５１】
本提案では、カメラユニットに着脱可能な交換式レンズを用いて説明を行ったが、カメラユニットに対して着脱不可能なレンズユニットを備えた一体型カメラユニットに適用しても良い。
【００５２】
本実施例では、ＡＦ／ＭＦ状態表示手段１１３は、フォーカスレンズ１０６の制御がＡＦ制御、ＭＦ制御のどちらで行われているのかを表示するものとしたが、ＡＦ／ＭＦ制御設定手段１１０がＡＦ制御、ＭＦ制御のどちらに設定されているのかを表示するものとしても良い。
【００５３】
このような構成をとることにより、遠隔システムにＡＦ制御を搭載した場合、遠隔操作ユニットと光学装置間の電気インターフェイスに空いているピンが存在しない状態であっても、レンズユニットにフォーカスレンズをＡＦ制御にて駆動するのか、ＭＦ制御にて駆動するのかを切換える切換え手段を配置することが可能となり、また、ＡＦ制御時にＭＦ制御を行うことが可能となり、遠隔システムの運用をより有意義なものにすることができる。
【００５４】
（第３の実施例）
第２の実施例では、ＡＦ／ＭＦ制御設定手段の設定がフォーカスレンズの制御をＡＦ制御にて行う設定であっても、ＭＦ指令信号生成手段が操作された場合には、Ｓ／Ｐ切換え信号入力手段の設定により、フォーカスレンズの制御をＭＦ制御に切換えたが、ＡＦ／ＭＦ制御設定手段の設定がフォーカスレンズの制御をＡＦ制御にて行う設定であっても、ＭＦ指令信号生成手段が操作された場合には、Ｓ／Ｐ切換え信号入力手段の設定がフォーカスレンズの制御を速度制御で行う設定である場合のみ、フォーカスレンズの制御をＭＦ制御に切換える構成とする光学装置を第３の実施例として以下に説明する。
【００５５】
以下に図面により本発明の第３の実施例の説明を行う。
【００５６】
本発明の第３の実施例を実施した光学装置の構成を図２に示す。
【００５７】
同図において、１００〜１０７、１０９、１１０、１１２、１１３、２００〜２０５、３００、４００〜４０３、５００については前述したため、説明は省略する。
【００５８】
また、ＡＦ／ＭＦ制御設定手段１１０の設定がフォーカスレンズ１０６の制御をＡＦ制御で行う設定で、かつＭＦ指令信号生成手段４０１が操作されていない場合の動作、およびＡＦ／ＭＦ制御設定手段１１０によりフォーカスレンズ１０６の制御をＭＦ制御で行う設定になっている場合の動作についても第２の実施例に説明したため、省略する。
【００５９】
以上の構成において、ＡＦ／ＭＦ制御設定手段１１０の設定がフォーカスレンズ１０６の制御をＡＦ制御で行う設定で、ＭＦ指令信号生成手段４０１が操作された場合の動作について説明する。
【００６０】
フォーカスレンズ１０６の制御をＡＦ制御にて行っている場合に、ＭＦ指令信号生成手段４０１が操作された際には、ＭＦ指令信号生成手段４０１からのＭＦ指令信号が変化し、かつＳ／Ｐ切換え信号入力手段４０２からのＳ／Ｐ切換え信号がＶｒｅｆ１であると指令／切換え信号判定手段１１２が判定した場合にＡＦ／ＭＦ切換え手段１０４をＢ側に切換え、ＡＦ／ＭＦ制御状態表示手段１１３にＭＦ制御を表示する。Ｓ／Ｐ切換え信号入力手段４０２からのＳ／Ｐ切換え信号がＶｒｅｆ３である場合や、ＭＦ指令信号生成手段４０１が操作されていない場合には、ＡＦ／ＭＦ切換え手段１０４はＡ側となる。同時に指令／切換え信号判定手段１１２では、Ｓ／Ｐ切換え信号入力手段４０２からリモコン出力端子４０３、リモコンケーブル５００、リモコン入力端子１０７を介して入力されるＳ／Ｐ切換え信号がＶｒｅｆ１であった場合には、フォーカスレンズ１０６の制御を速度制御で行い、Ｓ／Ｐ切換え指示信号をＭＦ駆動制御手段１０９に出力する。ＭＦ駆動制御手段１０９では、Ｓ／Ｐ切換え指示信号がフォーカスレンズ１０６の制御を速度制御で行う信号であった場合には、ＭＦ指令信号を速度制御指令信号として扱い、ＭＦ指令信号にて指示された速度にてモータ１０５を駆動するためのモータ制御信号を生成し、モータ１０５を駆動させ、フォーカスレンズ１０６を移動させる。この場合、フォーカスレンズ１０６の制御をＭＦ制御にて行っているため、ＡＦ／ＭＦ制御状態表示手段１１３はＭＦ制御を表示している。
【００６１】
本提案では、カメラユニットに着脱可能な交換式レンズを用いて説明を行ったが、カメラユニットに対して着脱不可能なレンズユニットを備えた一体型カメラユニットに適用しても良い。
【００６２】
本実施例では、ＡＦ／ＭＦ状態表示手段１１３は、フォーカスレンズ１０６の制御がＡＦ制御、ＭＦ制御のどちらで行われているのかを表示するものとしたが、ＡＦ／ＭＦ制御設定手段１１０がＡＦ制御、ＭＦ制御のどちらに設定されているのかを表示するものとしても良い。
【００６３】
このような構成をとることにより、遠隔システムにＡＦ制御を搭載した場合、遠隔操作ユニットと光学装置間の電気インターフェイスに空いているピンが存在しない状態であっても、レンズユニットにフォーカスレンズをＡＦ制御にて駆動するのか、ＭＦ制御にて駆動するのかを切換える切換え手段を配置することが可能となり、また、ＡＦ制御時にＭＦ制御を行うことが可能となり、遠隔システムの運用をより有意義なものにすることができる。
【００６４】
［本発明の実施態様］
本発明の様々な例と実施形態が示され説明されたが、当業者であれば、本発明の趣旨と範囲は本明細書内の特定の説明と図に限定されるのではなく、本願特許請求の範囲に全て述べられた様々の修正と変更に及ぶことが理解されるであろう。
【００６５】
本発明の実施態様の例を以下に列挙する。
【００６６】
［実施態様１］フォーカスレンズを自動焦点検出・合焦制御にて制御する焦点検出・合焦制御手段を備えた光学装置と、
前記フォーカスレンズを自動焦点検出・合焦制御にて制御するのか、遠隔指令制御にて制御するのかを切換える第１の切換え信号入力手段と、速度制御にて前記フォーカスレンズをマニュアル操作するのか、位置制御にて前記フォーカスレンズをマニュアル操作するのか切換える第２の切換え信号入力手段とを備えた遠隔操作装置、とを備えた撮影装置において、
第１の切換え信号入力手段からの出力と第２の切換え信号入力手段からの出力を多重する切換え信号多重手段を設けたことを特徴とする撮影装置。
【００６７】
［実施態様２］第１の切換え信号入力手段は、前記フォーカスレンズを自動焦点検出・合焦制御にて制御するのか、遠隔指令制御にて制御するのかをモーメンタリ作動で切換える実施態様１記載の撮影装置。
【００６８】
［実施態様３］前記フォーカスレンズを駆動する制御信号を前記自動焦点検出・合焦制御手段からの制御信号で駆動するのか、前記遠隔操作装置な内の遠隔指令制御手段からの制御信号で駆動するのかを切換える第１の切換え判定手段を設けたことを特徴とする実施態様１又は２記載の撮影装置。
【００６９】
［実施態様４］前記フォーカスレンズが自動焦点検出・合焦制御であった場合、前記遠隔指令制御手段にて遠隔指令制御が行われたか否かを判定し、前記遠隔指令制御が行われていると判定された場合には、前記フォーカスレンズを駆動する制御信号を前記遠隔指令制御手段からの遠隔指令制御で駆動することを特徴とする実施態様３の撮影装置。
【００７０】
［実施態様５］前記フォーカスレンズが自動焦点検出・合焦制御であった場合、前記遠隔指令制御手段にて遠隔指令制御が行われたか否かを判定し、前記遠隔指令制御が行われていると判定された場合には、前記フォーカスレンズを駆動する制御信号を前記遠隔指令制御手段からの遠隔指令制御で、かつ前記自動焦点検出・合焦制御に設定される以前の制御モードにて駆動する実施態様４の撮影装置。
【００７１】
［実施態様６］第１の切換え信号入力手段の設定状態なのか第２の切換え信号入力手段の設定状態なのかを表示する状態表示手段を設けた実施態様１〜５のいづれか一項記載の撮影装置。
【００７２】
［実施態様７］前記自動焦点検出・合焦制御手段は、映像入力手段に入力された前記映像信号から映像の鮮鋭度を示す鮮鋭度評価値を生成する評価値生成手段で生成される鮮鋭度評価値が最大になるようにモータ制御信号を生成する実施態様１〜６のいづれか一項記載の撮影装置。
【００７３】
［実施態様８］実施態様１〜７記載の光学装置は、カメラ本体に着脱可能なレンズ装置である撮影装置。
【００７４】
【発明の効果】
即ち、本発明によれば、遠隔システムにＡＦ制御を搭載した場合、遠隔操作装置と光学装置間の電気インターフェイスに空いているピンが存在しない状態であっても、レンズユニットにフォーカスレンズをＡＦ制御にて駆動するのか、ＭＦ制御にて駆動するのかを切換える切換え手段を配置することが可能となり、遠隔システムの運用をより有意義なものにすることができる。
【図面の簡単な説明】
【図１】本発明の第１実施例のブロック図
【図２】本発明の第２、第３実施例のブロック図
【図３】従来例のブロック図
【図４】従来例のブロック図
【符号の説明】
１００  レンズユニット
１０１  映像入力端子
１０２  評価値生成手段
１０３  ＡＦ駆動制御手段
１０４  ＡＦ／ＭＦ切換え手段
１０５  モータ
１０６  フォーカスレンズ
１０７  リモコン入力端子
１０８  切換え信号判定手段
１０９  ＭＦ駆動制御手段
１１  ＡＦ／ＭＦ制御設定手段
１１１  ＡＦ／ＭＦ制御設定状態表示手段
１１２  指令／切換え信号判定手段
１１３  ＡＦ／ＭＦ制御状態表示手段
１１４  Ｓ／Ｐ切換え信号判定手段
２００  カメラユニット
２０１  ＣＣＤ
２０２  プロセス手段
２０３  記録再生手段
２０４  出力切換え手段
２０５  映像出力端子
３００  映像用同軸ケーブル
４００  リモートコントロールユニット
４０１  ＭＦ指令信号生成手段
４０２  Ｓ／Ｐ切換え信号入力手段
４０３  リモコン出力端子
５００  リモコンケーブル
６００  カメラ
【図１】
2004341038.tif 000003
【図２】
2004341038.tif 000004
【図３】
2004341038.tif 000005
【図４】
2004341038.tif 000006